(57)【要約】      （修正有）【課題】系統の低電圧時に発電機側過電流を安定的に制御する電力制御装置及び方法を提供する。【解決手段】発電システムは、発電機１０、発電機１０に接続され、発電機１０で生成した電力を変換する電力変換部２０、及び電力変換部２０と発電機側とで測定した電流を用いて過電流を制御する電力制御装置３０と、を含む。電力変換部２０は発電機１０に接続されており、発電機１０で生成した電力を安定的に交流電力系統に供給する。電力制御装置３０は、電力を生成する発電機に接続されて、発電機で測定した測定電流Ｉと発電機の基準電流Ｉｒａｔｅｄとを比較して誤差電流ｅｉを算出する電流比較器４０と、誤差電流ｅｉの入力を受けて有効電力値Ｐを算出し、算出した有効電力値に対応するスイッチ駆動信号を出力する制御部５０と、制御部のスイッチ駆動信号により動作するスイッチ６０と、スイッチに接続されて誤差電流を消費する抵抗装置７０とを含む。【選択図】図１
2014030347.tif 000002
【特許請求の範囲】
【請求項１】
電力を生成する発電機を含む発電システムにおける電力を制御する装置であって、
前記発電機の回転子側で測定した測定電流と前記発電機の回転子側の基準電流との差に基づいて誤差電流を算出する電流比較器と、
前記誤差電流の入力を受けて有効電力値を算出する制御器と、
前記算出した有効電力値に対応する複数のスイッチ駆動信号を出力する駆動機と、
前記複数のスイッチ駆動信号により作動する複数のスイッチと、
前記複数のスイッチのそれぞれに接続される複数の抵抗素子を備え、前記誤差電流を消費する抵抗装置と、を含む
ことを特徴とする電力制御装置。
【請求項２】
電力を生成する発電機及び電力変換装置を含む発電システムにおいて交流を直流に変換するコンバータと、前記直流を交流に変換するインバータと、前記コンバータ及び前記インバータと並列に接続される直流キャパシタと、を含む前記電力変換装置を用いて電力を制御する装置であって、
前記直流キャパシタで測定した測定電圧と前記直流キャパシタの基準電圧との差に基づいて誤差電圧を算出する電圧比較器と、
前記誤差電圧の入力を受けて有効電力値を算出する制御器と、
前記算出した有効電力値に対応する複数のスイッチ駆動信号を出力する駆動機と、
前記複数のスイッチ駆動信号により作動する複数のスイッチと、
前記複数のスイッチのそれぞれに接続される複数の抵抗素子を備え、前記誤差電圧に対応する誤差電流を消費する抵抗装置と、を含み、
前記誤差電流は前記直流キャパシタから流入される電流である
ことを特徴とする電力制御装置。
【請求項３】
前記駆動機は、
前記複数の抵抗素子から、前記算出された有効電力値に対応する抵抗値を有する少なくとも一つの抵抗素子が選択されるように、前記複数のスイッチのそれぞれに前記複数のスイッチ駆動信号を出力する
ことを特徴とする請求項１または請求項２に記載の電力制御装置。
【請求項４】
前記複数のスイッチ駆動信号は、各抵抗素子の抵抗値及び有効電力値により決定された各スイッチの駆動可否を示す信号である
ことを特徴とする請求項３に記載の電力制御装置。
【請求項５】
前記駆動機は、前記有効電力値に前記各スイッチの駆動可否を示す値を対応させたテーブルを用いて、前記算出された有効電力値が入力されると、前記複数のスイッチの駆動信号を出力する
ことを特徴とする請求項４に記載の電力制御装置。
【請求項６】
前記スイッチの駆動信号により駆動する前記スイッチに接続されている抵抗素子で前記誤差電流を消費する
ことを特徴とする請求項５に記載の電力制御装置。
【請求項７】
電力を生成する発電機を含む発電システムにおける電力を制御する方法であって、
前記発電機に接続されて発電機の回転子側の電流を測定するステップと、
前記測定した測定電流と基準電流との差に基づいて誤差電流を算出するステップと、
前記誤差電流を用いて有効電力値を算出するステップと、
前記有効電力値に対応する複数のスイッチ駆動信号を出力するステップと、
前記複数のスイッチ駆動信号により、少なくとも一つのスイッチが駆動して前記複数のスイッチのそれぞれに接続された複数の抵抗素子のうちの少なくとも一つで前記誤差電流を消費するステップと、
を含むことを特徴とする電力制御方法。
【請求項８】
電力を生成する発電機及び電力変換装置を含む発電システムにおける電力を制御する方法であって、
前記電力変換装置に含まれるコンバータ及びインバータと並列に接続される直流キャパシタの電圧を測定するステップと、
前記測定した測定電圧と基準電圧との差に基づいて誤差電圧を算出するステップと、
前記誤差電圧を用いて有効電力値を算出するステップと、
前記有効電力値に対応する複数のスイッチ駆動信号を出力するステップと、
前記複数のスイッチ駆動信号により少なくとも一つのスイッチが駆動して前記複数のスイッチのそれぞれに接続された複数の抵抗素子のうちの少なくとも一つで前記誤差電圧に対応する誤差電流を消費するステップと、を含み、
前記誤差電流は前記直流キャパシタから流入される電流である
ことを特徴とする電力制御方法。
【請求項９】
前記複数のスイッチ駆動信号を出力するステップは、
前記複数の抵抗素子から、前記算出された有効電力値に対応する抵抗値を有する少なくとも一つの抵抗素子が選択されるように、前記複数のスイッチのそれぞれに前記複数のスイッチ駆動信号を出力する
ことを特徴とする請求項７または請求項８に記載の電力制御方法。
【請求項１０】
前記複数のスイッチ駆動信号は、各抵抗素子の抵抗値及び有効電力値により決定された各スイッチの駆動可否を示す信号である
ことを特徴とする請求項９に記載の電力制御方法。
【請求項１１】
前記複数のスイッチ駆動信号を出力するステップは、
前記有効電力値に前記各スイッチの駆動可否を示す値を対応させたテーブルを用いて、前記有効電力値に対応する複数のスイッチ駆動信号を出力する
ことを特徴とする請求項１０に記載の電力制御方法。
【発明の詳細な説明】
【技術分野】
【０００１】
本発明は電力制御装置及び方法に関し、より詳細には、系統の低電圧時の発電機側過電流を安定的に制御する電力制御装置及び方法に関する。
【背景技術】
【０００２】
一般的に発電システム、送電システムなどのような電力システムは、安定した電力系を維持するために過電流、過電圧などを防止することができる装置または方法を有している。
【０００３】
従来技術によれば、電力システムは３相ＡＣ/ＤＣ/ＡＣＰＷＭ（Ｐｕｌｓｅ  Ｗｉｄｔｈ  Ｍｏｄｕｌａｔｉｏｎ）コンバータを電力変換装置として使用する。このような電力変換装置にはＡＣ電源に接続されるコンバータ、負荷に接続されるインバータ及びインバータとコンバータとの間でバッファの役割をする直流キャパシタが接続されて使用された。ここで、直流キャパシタとしては主に電解キャパシタが使用されており、電解キャパシタは安価で大容量を有するためフィルターやエネルギーバッファとして広く使用されている。
【発明の概要】
【発明が解決しようとする課題】
【０００４】
このようなキャパシタは、電流により熱が発生してキャパシタンスが減少し、キャパシタの寿命が短くなる。このため、直流キャパシタを含む電力システムでは、キャパシタのキャパシタンスを正確に測定あるいは推定しなければならない。これはキャパシタの寿命を診断して入れ替える時期を予測するためである。
【０００５】
しかし、キャパシタンスを測定することは、キャパシタをシステムから分離しなければならないため、問題となっている。
【０００６】
また、分離しないでキャパシタンスを推定することは、多くの実験結果及びアルゴリズムを用いて比較的正確な推定を得ることができるが、システムの運用中に発生し得る事故からシステムが系統より離脱しないようにする、電力を制御することができる装置が具備されていない問題点があった。
【０００７】
従来技術によれば、電力システムは、直流を直流に変換するＤＣ−ＤＣコンバータを具備した電力制御装置を含む。ここで、電力制御装置は電力変換装置内にＤＣ−ＤＣコンバータを含んで構成したものであって、コンバータとインバータとの間に位置する。そして、ＤＣ−ＤＣコンバータはコンバータとインバータとの間で直流電流を制限するか、または１つの直流電圧に変更させることにより電力を制御する。
【０００８】
しかし、従来の電力システムは、システム運用中に発生し得る事故からシステムが系統より離脱しないように、リアルタイムで電力変化を感知しながら電力を制御することはできないという問題点があった。
【０００９】
また、従来の電力システムは低電圧発生時にシステムの継続的な作動を要求する条件を満たすことができないという問題点があった。
【図面の簡単な説明】
【００１０】
【図１】本発明の一実施例による電力制御装置を含む発電システムの構成図である。
【図２】本発明の一実施例による電力制御装置のブロック図である。
【図３】本発明の一実施例による電力制御方法のフローチャートである。
【図４】本発明の他の実施例による電力制御装置を含む発電システムの構成図である。
【図５】本発明の他の実施例による電力制御装置のブロック図である。
【図６】本発明の他の実施例による電力制御方法のフローチャートである。
【図７】本発明の実施例による電力制御装置及び方法を説明するための図面である。
【図８】本発明の実施例による電力制御装置及び方法を説明するための図面である。
【発明を実施するための形態】
【００１１】
以下、本発明の実施例を添付した図面を参照して詳細に説明する。
【００１２】
図１は、本発明の一実施例による電力制御装置を含む発電システムの構成図であり、図２は、本発明の一実施例による電力制御装置のブロック図である。
【００１３】
また、図７及び図８は、本発明の実施例による電力制御装置及び方法を説明するための図面である。以下、図７及び図８は、必要によって、参照して説明する。
【００１４】
図１及び図２を参照すると、本発明による発電システムは、発電機１０、発電機１０に接続され、発電機１０で生成した電力を変換する電力変換部２０、及び電力変換部２０と発電機側とで測定した電流を用いて過電流を制御する電力制御装置３０と、を含む。
【００１５】
本発明の発電システムには風力発電システムが好ましいが、それ以外にも自然力を用いた発電システムにも適用できることは当業者に自明なことである。
【００１６】
より詳細には、本発明による発電機１０は、電力を生成する電気発生装置である。発電機はかご型誘導発電機または永久磁石発電機であってもよく、発電機として使用できるいかなる発電機でも適用することができることは当業者に自明なことである。
【００１７】
電力変換部２０は発電機１０に接続されており、発電機１０で生成した電力を安定的に供給することができる電力変換装置である。
【００１８】
このような電力変換部２０は、交流を直流に変換するコンバータ（図示せず）と直流を交流に変換するインバータ（図示せず）とで構成されることができる。
【００１９】
電力変換部２０はコンバータ及びインバータを用いて、発電機１０で生成した不安定な電力を一定した出力に変換してより信頼性のある電力品質を得ることができる。
【００２０】
電力制御装置３０は、電力を生成する発電機に接続されて、発電機で測定した測定電流と発電機の基準電流とを比較して誤差電流を算出する電流比較器４０と、誤差電流の入力を受けて有効電力値を算出し、算出した有効電力値に対応するスイッチ駆動信号を出力する制御部５０と、制御部のスイッチ駆動信号により動作するスイッチ６０と、スイッチに接続されて誤差電流を消費する抵抗装置７０とを含む。
【００２１】
電流比較器４０は、発電機１０の回転子側で測定した測定電流（Ｉ）と回転子側の基準電流（Ｉｒａｔｅｄ）とを比較して電流差である誤差電流（ｅＩ）を算出する。ここで、基準電流（Ｉｒａｔｅｄ）は電力を安定的に供給するための電流であって、運用者により予め設定可能である。
【００２２】
制御部５０は、誤差電流（ｅＩ）の入力を受けて制御を行う制御器５２と制御器の制御値である有効電力（Ｐ）により複数のスイッチの駆動を制御する駆動機５４とを含む。
【００２３】
制御器５２は、比例（Ｐ）制御器、比例微分（ＰＤ）制御器、比例積分（ＰＩ）または比例積分微分（ＰＩＤ）制御器のうちのいずれか一つであることができ、線形制御を行う。
【００２４】
駆動機５４は、制御器５２で算出した有効電力値に応じて複数のスイッチにそれぞれの駆動信号を出力してスイッチの動作を制御する。
【００２５】
駆動機５４は、図４に示すように、有効電力値に応じて駆動信号の出力信号が異なり得る。
【００２６】
駆動機５４は、算出された有効電力値を、予め設定されたテーブル値から選択して対応するｎ（ｎは自然数）個のスイッチを駆動することができる。
【００２７】
テーブル値は、図８に示すように、算出した有効電力値及びスイッチに接続されている抵抗素子の抵抗値により駆動するスイッチで構成され、有効電力値に該当する過電流を消費するのに好適なｎ（ｎは自然数）個のスイッチを選択することができる。
【００２８】
スイッチ６０は、制御部５０のスイッチ駆動信号により作動し、誤差電流を抵抗装置７０に導く。
【００２９】
スイッチ６０は複数の電力素子スイッチであってもよく、電力制御のために広く使用されているスイッチを用いてもよいことは当業者にとって明らかである。例えば、電力素子スイッチとしてサイリスタを使用してもよい。以下では、本発明の電力素子スイッチとしてサイリスタを例に挙げて説明する。
【００３０】
抵抗装置７０は、スイッチに接続されており、誤差電流が分配される場合に誤差電流を消費する抵抗素子を含む。
【００３１】
抵抗装置７０は複数の抵抗素子を含むことができ、複数の抵抗素子は複数のスイッチ６０によりそれぞれ接続されて、スイッチ６０の駆動により該当する抵抗素子で誤差電流を消費することができる。ここで、複数の抵抗素子はそれぞれ抵抗値を異にして有効電力値により駆動するスイッチ６０を選択することができる。
【００３２】
例えば、制御器５２が比例積分（ＰＩ）制御器で構成される場合、有効電力（Ｐ）は、次の一般式（１）により算出可能である。ここで、比例積分制御器の比例ゲインを３、積分ゲインを２、時間を０．２秒と仮定する。
【数１】
2014030347.tif 000003
【００３３】
式中、基準電流（Ｉｒａｔｅｄ）が１［アンペア］であり、測定電流（Ｉ）が１．９［アンペア］であると仮定すると、誤差電流（ｅＩ）は０．１［アンペア］となる。上記の式に適用すると、有効電力（Ｐ）は０．２６［ワット］となる。
【００３４】
ここで、図７を参照すると、図７で、Ｐ１＝０．１［ワット］、Ｐ２＝０．２[ワット]、Ｐ３＝０．３[ワット]、…、Ｐ１０＝１[ワット]であるとすると、上記で算出された有効電力（Ｐ）値である０．２６［ワット］は、Ｐ２とＰ３との間に位置して駆動機の出力信号は２となる。このとき、図８を参照すると、駆動機の出力信号が２であるので、スイッチＳ１はオフ（ＯＦＦ）となり、Ｓ２はオン（ＯＮ）となる駆動をする。
【００３５】
図３は、本発明の一実施例による電力制御方法のフローチャートである。
【００３６】
図３を参照すると、ステップＳ３１０で、電力制御装置３０は発電機の回転子側の電流を測定する。
【００３７】
ステップＳ３２０で、電力制御装置３０は測定電流（Ｉ）と発電機の回転子側の基準電流（Ｉｒａｔｅｄ）との差を用いて誤差電流（ｅＩ）を算出する。
【００３８】
ステップＳ３３０で、電力制御装置３０は、算出された誤差電流（ｅＩ）が基準電流（Ｉｒａｔｅｄ）を超過する過電流であるとして、該過電流を制御することができる有効電力（Ｐ）を算出する。
【００３９】
ステップＳ３４０で、電力制御装置３０は、算出された有効電力値（Ｐ）に対応するスイッチ駆動信号を複数のサイリスタに出力する。
【００４０】
ステップＳ３５０で、電力制御装置３０はスイッチ駆動信号によりサイリスタ（Ｓ１、Ｓ２、…、Ｓｎ）が動作し、誤差電流（ｅＩ）がスイッチを通過する。
【００４１】
図７及び図８を参照してスイッチ駆動をより詳細に説明すると、電力制御装置３０は、有効電力値（Ｐ）がＰ３であると、スイッチ駆動信号は３となる。以後、電力制御装置３０はスイッチ駆動信号が３であると、スイッチＳ１とＳ２が動作（ＯＮ）することになり、その他のスイッチは非動作（ＯＦＦ）することになる。ここで、有効電力値により駆動するスイッチはスイッチに接続されている抵抗素子の抵抗値の組み合わせにより選択され、これはテーブルに予め設定されて電力制御装置３０、具体的には駆動機５４に格納して用いることができる。
【００４２】
したがって、電力制御装置３０は、有効電力値に対応して駆動することになるｎ（ｎは自然数）のスイッチにスイッチ駆動信号を出力して誤差電流を効率的に消費することができる。
【００４３】
ステップＳ３６０で、電力制御装置３０は抵抗素子で誤差電流（ｅＩ）を消費する。
【００４４】
図４は、本発明の他の実施例による電力制御装置を有した発電システムの構成図であり、図５は、本発明の他の実施例による電力制御装置のブロック図である。
【００４５】
図４及び図５を参照すると、本発明の他の実施例による発電システムは、発電機１０と、発電機１０に接続され、発電機１０で生成した電力を変換する電力変換部２０と、電力変換部２０の直流キャパシタ２５側で測定した電圧を用いて過電流を制御する電力制御装置８０とを含む。ここで、過電流は直流キャパシタ２５側から流入される電流（Ｉｄｃ）であってよい。
【００４６】
以下では、上述した本発明の一実施例による電力制御装置を有した発電システムと重複する説明は省略する。
【００４７】
電力変換部２０は、交流を直流に変換するコンバータ（図示せず）、直流を交流に変換するインバータ（図示せず）及びコンバータとインバータとを接続する直流キャパシタ２５で構成されることができる。
【００４８】
電力変換部２０は、コンバータ及びインバータを用いて発電機１０で生成した不安定な電力を一定した出力に変換してより信頼性のある電力品質を得ることができる。
【００４９】
一方、電力制御装置８０は、直流電流を交流電流に変換する直流キャパシタ２５で測定した測定電圧と基準電圧とを比較して誤差電圧を算出する電圧比較器４５と、誤差電圧の入力を受けて有効電力値を算出し、算出した有効電力値に対応するスイッチ駆動信号を出力する制御部５０と、制御部のスイッチ駆動信号により動作するスイッチ６０と、スイッチに接続され、誤差電圧に対応する誤差電流を消費する抵抗装置７０とを含む。ここで、誤差電圧に対応する誤差電流は基準電流を超過する過電流であって、電力変換部２０の直流キャパシタ２５側から流入する電流（Ｉｄｃ）であることができる。
【００５０】
電圧比較器４５は、直流キャパシタ２５で測定した測定電圧（Ｖｄｃ）と基準電圧（Ｖｄｃ、ｒａｔｅｄ）とを比較して電圧差である誤差電圧（ｅｖ）を算出する。ここで、基準電圧（Ｖｄｃ、ｒａｔｅｄ）は電力を安定的に供給するための電圧であって、運用者により予め設定可能である。
【００５１】
制御部５０は、誤差電圧（ｅｖ）の入力を受けて制御を行う制御器５２と、制御器の制御値である有効電力（Ｐ）により複数のスイッチの駆動を制御する駆動機５４とを含む。
【００５２】
制御器５２は、比例（Ｐ）制御器、比例微分（ＰＤ）制御器、比例積分（ＰＩ）制御器または比例積分微分（ＰＩＤ）制御器のうちのいずれか一つであってもよく、線形制御を行う。
【００５３】
駆動機５４は、制御器５２で算出した有効電力値に応じて複数のスイッチにそれぞれの駆動信号を出力してスイッチの動作を制御する。
【００５４】
駆動機５４は、図７に示すように、有効電力値に応じて駆動信号の出力信号が異なり得る。
【００５５】
駆動機５４は、算出した有効電力値を予め設定されたテーブル値から選択して対応するｎ（ｎは自然数）個の電力素子スイッチを駆動することができる。
【００５６】
テーブル値は、図８に示すように、算出された有効電力値及び電力素子スイッチに接続されている抵抗素子の抵抗値により駆動するスイッチで構成され、有効電力値に該当する過電流を消費するのに好適なｎ（ｎは自然数）個のスイッチを選択することができる。
【００５７】
スイッチ６０は制御部５０のスイッチ駆動信号により作動し、誤差電圧（ｅｖ）に対応する過電流を抵抗装置７０に導く。
【００５８】
スイッチ６０は複数の電力素子スイッチであってもよく、電力制御のために広く使用されているスイッチを用いることができることは当業者に自明なことである。
【００５９】
抵抗装置７０はスイッチに接続されて、誤差電圧（ｅｖ）に対応する過電流が分配される場合に誤差電流を消費する抵抗素子を含む。
【００６０】
抵抗装置７０は複数の抵抗素子を含むことができ、複数の抵抗素子は複数のスイッチ６０にそれぞれ接続されて、スイッチ６０の駆動により、該当する抵抗素子で誤差電圧（ｅｖ）に対応する誤差電流を消費することができる。ここで、複数の抵抗素子はそれぞれの抵抗値を異にして有効電力値に応じて駆動するスイッチ６０を選択することができる。
【００６１】
例えば、制御器５２が比例積分（ＰＩ）制御器で構成される場合、有効電力（Ｐ）は、次の一般式（２）により算出可能である。ここで、比例積分制御器の比例ゲインを３、積分ゲインを２、時間を０．２秒と仮定する。
【数２】
2014030347.tif 000004
【００６２】
式中、基準電圧（Ｖｄｃ、ｒａｔｅｄ）が１［ボルト］であり、測定電圧（Ｖｄｃ）が１．９［ｖｏｌｔ］であると仮定する場合、誤差電圧（ｅｖ）は０．１［ボルト］となる。上記数式に適用すると、有効電力（Ｐ）は０．２６［ワット］となる。
【００６３】
このとき、図７を参照すると、図７で、Ｐ１＝０．１［ワット］、Ｐ２＝０．２［ワット］、Ｐ３＝０．３［ワット］、…、Ｐ１０＝１［ワット］とすると、上記で算出された有効電力（Ｐ）値である０．２６［ワット］はＰ２とＰ３との間に位置し駆動機出力信号は２となる。このとき、図８を参照すると、駆動機出力信号が２であるため、スイッチＳ１はオフ（ＯＦＦ）、Ｓ２はオン（ＯＮ）となる駆動をする。
【００６４】
図６は、本発明の他の実施例による電力制御方法のフローチャートである。
【００６５】
図６を参照すると、ステップＳ６１０で、電力制御装置８０は電力変換部２０の直流キャパシタ２５側の電圧を測定する。
【００６６】
ステップＳ６２０で、電力制御装置８０は直流キャパシタ側の測定電圧（Ｖｄｃ）と直流キャパシタ側の基準電圧（Ｖｄｃ、ｒａｔｅｄ）との差を用いて誤差電圧（ｅｖ）を算出する。
【００６７】
ステップＳ６３０で、電力制御装置８０は、算出した誤差電圧（ｅｖ）が基準電圧（Ｖｄｃ、ｒａｔｅｄ）を超過する過電圧であるとして、該過電圧に対応する過電流を制御することができる有効電力（Ｐ）を算出する。
【００６８】
ステップＳ６４０で、電力制御装置８０は算出された有効電力値（Ｐ）に対応するスイッチ駆動信号を複数の電力素子スイッチに出力する。
【００６９】
ステップＳ６５０で、電力制御装置８０はスイッチ駆動信号により電力素子スイッチ（Ｓ１、Ｓ２、…、Ｓｎ）が動作し、誤差電圧（ｅｖ）に対応する誤差電流がスイッチを通過する。ここで、誤差電流は基準電流を超過する過電流である。
【００７０】
図７及び図８を参照してスイッチ駆動をより詳細に説明すると、電力制御装置８０は、有効電力値（Ｐ）がＰ３であると、スイッチ駆動信号は３となる。以後、電力制御装置８０はスイッチ駆動信号が３であると、スイッチＳ１とＳ２とが動作（ＯＮ）をし、その他のスイッチは非動作（ＯＦＦ）することになる。ここで、有効電力値により駆動するスイッチは、スイッチに接続されている抵抗素子の抵抗値の組み合わせにより選択され、これはテーブルに予め設定されて電力制御装置８０、具体的には駆動機５４に格納して用いることができる。
【００７１】
したがって、電力制御装置８０は有効電力値に対応して駆動することになるｎ（ｎは自然数）のスイッチにスイッチ駆動信号を出力し誤差電流を効率的に消費することができる。
【００７２】
ステップＳ６６０で、電力制御装置８０は抵抗素子で誤差電圧（ｅｖ）に対応する誤差電流を消費する。
【００７３】
本発明の実施例は、コンピュータにより具現される多様な動作を実行するためのプログラム命令を含むコンピュータ読み取り可能な媒体を含むことができる。上記コンピュータ読み取り可能な媒体はプログラム命令、ローカルデータファイル、ローカルデータ構造などを単独でまたは組み合わせて含むことができる。上記媒体は本発明のために特別に設計されて構成されたものでもよく、コンピュータソフトウェアの当業者に公知であり使用可能なものであってもよい。
【００７４】
上記では本発明の好ましい実施例を参照して説明したが、当該技術分野で通常の知識を有した者であれば本発明の特許請求の範囲に記載した本発明の思想及び領域から逸脱しない範囲内で、本発明を多様に修正及び変更させることができることを理解できよう。
【産業上の利用可能性】
【００７５】
本発明は、発電機側に抵抗装置を用いて系統側の低電圧発生時に定格電流以上に誘導される過電流を感知及び制御することにより、発電機が系統から遮断されることを防止することができる。
【００７６】
また、本発明は、発電機に接続された電力変換部の直流キャパシタに抵抗装置を用いることにより、系統側の低電圧発生時に定格電圧以上に誘導される過電圧を感知し過電流を制御することにより、発電機が系統から遮断されることを防止することができる。
【００７７】
また、本発明は発電機のタイプに関係なく、電力変換部を具備した発電機の系統連係を保つことにより、効率的な電力発電システムを具現して安定的な電力品質を得ることができる。
【符号の説明】
【００７８】
１０  発電機
２０  電力変換部
２５  直流キャパシタ
３０  電力制御装置
４０  電流比較器
４５  電圧比較器
５０  制御部
５２  制御器
５４  駆動機
６０  スイッチ
７０  抵抗装置
８０  電力制御装置
【図１】
2014030347.tif 000005
【図２】
2014030347.tif 000006
【図３】
2014030347.tif 000007
【図４】
2014030347.tif 000008
【図５】
2014030347.tif 000009
【図６】
2014030347.tif 000010
【図７】
2014030347.tif 000011
【図８】
2014030347.tif 000012